(57)【要約】【課題】  ズームレンズ群及びフォーカスレンズ群の光軸位置を独立に調整することが可能なレンズ鏡筒、及びこれを用いた撮像装置並びに光学装置を提供する。【解決手段】  上部及び下部鏡筒３１，３２の間には、レンズ保持板３３とシャッタユニット３４とが設けられている。レンズ保持板３３は、第２レンズ群４４の移動をガイドするガイド軸５２，５３の一端を軸受けしている。また、シャッタユニット３４は、第４レンズ群６３の移動をガイドするガイド軸６０，６１の一端を軸受けしている。レンズ保持板３３及びシャッタユニット３４は、上部及び下部鏡筒３１，３２によって光軸Ｌ２と垂直な平面内で移動自在に保持されている。レンズ保持板３３及びシャッタユニット３４の一部は、上部及び下部鏡筒３１，３２の外部に突出されており、光軸Ｌ２と垂直な平面内で移動されて第２及び第４レンズ群６３の光軸の位置調整が行われる。【選択図】        図５
2006201612.tif 000002
【特許請求の範囲】
【請求項１】
ズームレンズ群及びフォーカスレンズ群を保持し、各レンズ群の光軸方向への移動をガイドする複数のガイド軸を備えたレンズ鏡筒において、
前記ズームレンズ群の光軸方向への移動をガイドする第１ガイド軸と、
前記第１ガイド軸の一端を軸受けする第１軸受部材と、
前記フォーカスレンズ群の光軸方向への移動をガイドする第２ガイド軸と、
前記第２ガイド軸の一端を軸受けする第２軸受部材と、
前記第１及び第２軸受部材の各々の一部を外部に露呈させ、前記第１及び第２軸受部材を前記各レンズ群の光軸と垂直な平面内で移動自在に保持する鏡筒本体とを備え、
前記第１及び第２軸受部材が前記鏡筒本体に対して前記平面内で相対移動され、前記各レンズ群の光軸が調整された後、前記鏡筒本体に固定されることを特徴とするレンズ鏡筒。
【請求項２】
前記第１軸受部材は、２本の前記第１ガイド軸を軸受けし、前記第２軸受部材は、２本の前記第２ガイド軸を軸受けしていることを特徴とする請求項１記載のレンズ鏡筒。
【請求項３】
前記第１及び第２軸受部材は、互いに対面するとともに隣接する位置に配置されていることを特徴とする請求項１または請求項２記載のレンズ鏡筒。
【請求項４】
前記鏡筒本体は、前記ズームレンズ群を保持する第１鏡筒と、前記フォーカスレンズ群を保持する第２鏡筒とからなり、前記第１及び第２軸受部材は、前記第１及び第２鏡筒の間に配置されていることを特徴とする請求項１ないし請求項３のいずれか記載のレンズ鏡筒。
【請求項５】
前記第１及び第２鏡筒の一方にはネジを挿通させる挿通穴、他方には前記ネジと螺合するネジ穴が形成されており、前記ネジを前記挿通穴に挿通させて前記ネジ穴に螺合させることにより、前記第１及び前記第２軸受部材が前記第１及び第２鏡筒によって挟持されることを特徴とする請求項４記載のレンズ鏡筒。
【請求項６】
前記第１及び第２軸受部材には、前記挿通穴及び前記ネジ穴よりも内径が大きい貫通穴が各々に形成されており、前記ネジがこれらの貫通穴に挿通されることを特徴とする請求項５記載のレンズ鏡筒。
【請求項７】
前記第１軸受部材には、前記ズームレンズ群及び前記フォーカスレンズ群と対面する位置にレンズ群が設けられていることを特徴とする請求項１ないし請求項６のいずれか記載のレンズ鏡筒。
【請求項８】
前記第２軸受部材は、シャッタユニットと一体に設けられていることを特徴とする請求項１ないし請求項７のいずれか記載のレンズ鏡筒。
【請求項９】
請求項１ないし請求項７のいずれか記載のレンズ鏡筒と、被写体像を撮像する撮像素子とを備えたことを特徴とする撮像装置。
【請求項１０】
請求項１ないし請求項７のいずれか記載のレンズ鏡筒を備えたことを特徴とする光学装置。
【発明の詳細な説明】
【技術分野】
【０００１】
本発明は、レンズの光軸方向への移動をガイドするガイド軸を有するレンズ鏡筒、及びこのレンズ鏡筒を用いた撮像装置並びに光学装置に関する。
【背景技術】
【０００２】
近年、撮影レンズによって結像された被写体像を撮像する撮像素子を備え、この撮像素子によって得られた画像データをメモリカード等の記憶媒体に記憶させる撮像装置であるデジタルカメラが一般に普及している。
【０００３】
このようなデジタルカメラは、ユーザによって屋外に持ち出されて使用されることが多いため、カメラ本体の薄型化及び小型化によって携帯性を向上させることが望まれており、カメラ本体の携帯性を向上させるために、被写体光束が透過する撮影光学系の光路中に被写体光束を略直角方向に折り曲げる反射光学部材を配置し、被写体光束を結像させるのに必要な光路長を確保したレンズ鏡筒を用いてカメラ本体の小型化を実現したものが知られている（例えば、特許文献１参照）。
【０００４】
このようなレンズ鏡筒は、ズームレンズ群及びフォーカスレンズ群が鏡筒本体によって保持されており、この鏡筒本体内には、各レンズ群の光軸方向への移動をガイドするガイド軸が設けられている。各レンズ群は、ガイド軸にガイドされて光軸方向に進退移動して、ズーム倍率の変更や焦点調整が行われる。
【特許文献１】特開平９−２１１２８７号公報
【発明の開示】
【発明が解決しようとする課題】
【０００５】
しかしながら、上記特許文献１に記載のレンズ鏡筒では、ガイド軸が鏡筒本体によって軸受けされているため、ズームレンズ群及びフォーカスレンズ群の光軸を独立して調整することが難しいという問題があった。
【０００６】
本発明は上記事情に鑑みてなされたものであり、ズームレンズ群及びフォーカスレンズ群の光軸を独立に調整することが可能なレンズ鏡筒、及びこれを用いた撮像装置並びに光学装置を提供することを目的とする。
【課題を解決するための手段】
【０００７】
上記課題を解決するために、本発明のレンズ鏡筒は、ズームレンズ群及びフォーカスレンズ群を保持し、各レンズ群の光軸方向への移動をガイドする複数のガイド軸を備えたレンズ鏡筒であり、前記ズームレンズ群の光軸方向への移動をガイドする第１ガイド軸と、前記第１ガイド軸の一端を軸受けする第１軸受部材と、前記フォーカスレンズ群の光軸方向への移動をガイドする第２ガイド軸と、前記第２ガイド軸の一端を軸受けする第２軸受部材と、前記第１及び第２軸受部材の各々の一部を外部に露呈させ、前記第１及び第２軸受部材を前記各レンズ群の光軸と垂直な平面内で移動自在に保持する鏡筒本体とを備え、前記第１及び第２軸受部材が前記鏡筒本体に対して前記平面内で相対移動され、前記各レンズ群の光軸が調整された後、前記鏡筒本体に固定されることを特徴とするものである。
【０００８】
また、前記第１軸受部材は、２本の前記第１ガイド軸を軸受けし、前記第２軸受部材は、２本の前記第２ガイド軸を軸受けしていることが好ましい。さらに、前記第１及び第２軸受部材は、互いに対面するとともに隣接する位置に配置されていることが好ましい。
【０００９】
また、前記鏡筒本体は、前記ズームレンズ群を保持する第１鏡筒と、前記フォーカスレンズ群を保持する第２鏡筒とからなり、前記第１及び第２軸受部材は、前記第１及び第２鏡筒の間に配置されていることが好ましい。
【００１０】
さらに、前記第１及び第２鏡筒の一方にはネジを挿通させる挿通穴、他方には前記ネジと螺合するネジ穴が形成されており、前記ネジを前記挿通穴に挿通させて前記ネジ穴に螺合させることにより、前記第１及び前記第２軸受部材が前記第１及び第２鏡筒によって挟持されることが好ましい。
【００１１】
また、前記第１及び第２軸受部材には、前記挿通穴及び前記ネジ穴よりも内径が大きい貫通穴が各々に形成されており、前記ネジがこれらの貫通穴に挿通されることが好ましい。
【００１２】
さらに、前記第１軸受部材には、前記ズームレンズ群及び前記フォーカスレンズ群と対面する位置にレンズ群が設けられていることが好ましく、前記第２軸受部材は、シャッタユニットと一体に設けられていることが好ましい。
【００１３】
また、本発明の撮像装置は、上記記載の記載のレンズ鏡筒と、被写体像を撮像する撮像素子とを備えたことを特徴とするものである。
【００１４】
さらに、本発明の光学装置は、上記記載のレンズ鏡筒を備えたことを特徴とするものである。
【発明の効果】
【００１５】
本発明のレンズ鏡筒によれば、ズームレンズ群の光軸方向への移動をガイドする第１ガイド軸と、第１ガイド軸の一方の端部を軸受けする第１軸受部材と、フォーカスレンズ群の光軸方向への移動をガイドする第２ガイド軸と、第２ガイド軸の一方の端部を軸受けする第２軸受部材とを備えており、第１及び第２軸受部材の各々の一部が鏡筒本体から外部に露呈されており、この鏡筒本体が、第１及び第２軸受部材を各レンズ群の光軸と垂直な平面内で移動自在に保持している。このため、鏡筒本体の外部から第１または第２軸受部材に力を加えて移動させることにより、ズームレンズ群及びフォーカスレンズ群の光軸を独立して調整することができる。
【００１６】
また、第１及び第２ガイド軸の各々は２本のガイド軸で構成されているので、第１または第２軸受部材を移動させた時に、２本のガイド軸が一体となって移動するのでズームレンズ群またはフォーカスレンズ群が傾くことを防止できる。
【００１７】
さらに、第１及び第２軸受部材は、互いに対面するとともに隣接する位置に配置されているので、ズームレンズ群及びフォーカスレンズ群の光軸調整を近傍箇所で行うことができるので調整が容易である。
【発明を実施するための最良の形態】
【００１８】
図１及び図２に示すデジタルカメラ１０は、カメラ本体１１の前面に、前レンズ１２及びストロボ発光部１３が設けられており、上面には、電源ボタン１４及びシャッタボタン１５が設けられている。
【００１９】
カメラ本体１１の背面には、ＬＣＤ（Liquid Crystal Display）１６、ズーム操作ボタン１７、カーソルボタン１８、及びモード切替ボタン１９が設けられている。モード切替ボタン１９は、撮影画像をメモリカードに記録する撮影モードと、メモリカードに記録された画像を再生する再生モードと、各種設定を行うセットアップモードとを切り替える際にユーザによって操作される。
【００２０】
ＬＣＤパネル１６は、画像再生に使用される他、撮影モード時には、フレーミング用のスルー画を表示する電子ビューファインダとしても機能する。また、ＬＣＤパネル１６は、セットアップモードに設定された時にメニュー画面を表示する。カーソルボタン１８は、このメニュー画面上でのカーソルの移動や、メニュー画面に表示された項目を選択する際に操作される。ズーム操作ボタン１７は、ズーム倍率を変更する際に操作される。
【００２１】
また、カメラ本体１１には、前述の前レンズ１２を備えたレンズ鏡筒２０が組み込まれている。以下に、このレンズ鏡筒２０の構成を説明する。図３及び図４に示すレンズ鏡筒２０は、鏡筒本体２１に各種部品が組み込まれて構成されている。
【００２２】
鏡筒本体２１は、第１鏡筒である上部鏡筒３１と、第２鏡筒である下部鏡筒３２とを備えて構成されている。また、これらの鏡筒３１，３２の間には、第１軸受部材であるレンズ保持板３３と、第２軸受部材であるシャッタユニット３４とが設けられている。
【００２３】
上部鏡筒３１は、前レンズ１２、プリズム４１、及び後レンズ群４２からなる第１レンズ群４３と、第２レンズ群４４とを保持している。上部鏡筒３１は、断面形状が略三角形のフレームからなるプリズム収納部４５と、プリズム収納部４５の下方に形成され略直方体形状のフレームからなるレンズ収納部４６とを備えている。
【００２４】
プリズム収納部４５の前面には、前レンズ１２を保持するレンズ枠４７が取り付けられており、前レンズ１２の背後には、横長な矩形の開口４５ａが形成されている。また、前レンズ１２と開口４５ａとの間には、遮光マスク４８が設けられている。この遮光マスク４８は、撮影画像に悪影響を及ぼす光、つまり開口４５ａの上方から入射する太陽光などの有害光を遮光する。
【００２５】
プリズム収納部４５内には、三角柱形状の直角プリズム４１が収納され、前レンズ１２の背後に配置されている。この直角プリズム４１は、前レンズ１２と対面し、前レンズ１２を透過した被写体光束が入射する入射面４１ａと、入射面４１ａと鋭角をなして連なるとともに入射面４１ａから入射した被写体光束を略直角に反射する反射面４１ｂと、入射面４１ａと直角をなして連なるとともに反射面４１ｂで反射された被写体光束をプリズム外に出射させる出射面４１ｃとを有する。
【００２６】
前レンズ１２を透過した被写体光束は、入射面４１ａと略直交するように直角プリズム４１内に入射して、反射面４１ｂによって略直角に反射され、出射面４１ｃと略直交するように出射する。このため、前レンズ１２の光軸Ｌ１は、直角プリズム４１によって光軸Ｌ１と略直角な光軸Ｌ２に屈曲される。
【００２７】
また、レンズ収納部４６には、後レンズ群４２及び第２レンズ群４４が収納され、光軸Ｌ２上に配置されている。後レンズ群４２は、レンズ４２ａとレンズ４２ｂとで構成されており、レンズ枠４９によって保持されている。このレンズ枠４９は、直角プリズム４１の出射面４１ｃの下方に配置されており、レンズ収納部４６に固定されている。第２レンズ群４４は、レンズ４４ａ〜４４ｃの３枚のレンズで構成されており、レンズ枠５０によって保持されている。
【００２８】
この第２レンズ群４４はズームレンズ群であり、後述するように光軸Ｌ２に沿って進退移動される。第２レンズ群４４よりも下方には、レンズ保持板３３が設けられている。このレンズ保持板３３は、上部鏡筒３１の下端を覆うように配置されており、第３レンズ群５１が設けられている。この第３レンズ群５１は、レンズ５１ａを備えて構成されており、第２レンズ群４４と対面する位置に配置されている。また、レンズ収納部４６には、第２レンズ群４４の光軸Ｌ２方向への移動をガイドする２本のガイド軸（第１ガイド軸）５２，５３が設けられており、光軸Ｌ２と平行に配置されている。レンズ保持板３３の上面には、２つのボス３３ａ，３３ｂが一体に形成されており、ガイド軸５２，５３の一端が軸受けされている。このガイド軸５２，５３が、レンズ枠５０を光軸Ｌ２に沿って移動自在に保持している。
【００２９】
また、プリズム収納部４５の側部には、モータ５４が設けられており、回転軸５４ａが光軸Ｌ２と平行になるように配置されている。この回転軸５４ａには、回転止めされたネジ部材５５が螺合されている。モータ５４によって回転軸５４ａが回転されると、ネジ部材５５が光軸Ｌ２と平行な方向に進退移動する。このネジ部材５５は、レンズ枠５０と係合しており、レンズ枠５０が、ネジ部材５５によって押圧されて光軸Ｌ２に沿って移動する。
【００３０】
また、モータ５４はステッピングモータであり、レンズ枠５０の原点位置は、光学的位置検出手段であるフォトインタラプタ（図示せず）によって検出され、この検出信号に基づいて第２レンズ群４４の位置が制御される。これにより、第２光軸Ｌ２上において、第２レンズ群４４と、後述する第４レンズ群６３との相対的な距離が変化して被写体画像のズーミングが行われる。なお、このモータ５４は、ＤＣモータでも良い。この場合、第２群レンズ４４の位置を制御するためにエンコーダを設ければ良い。
【００３１】
さらに、レンズ保持板３３の下方には、シャッタユニット３４が設けられている。このシャッタユニット３４は、箱形に形成されたユニット本体内に各種部品が組み込まれて構成されている。このユニット本体５６の内部には、絞り機能を有するシャッタ装置５７が設けられており、互いに対向する一対のシャッタ羽根等によって構成されている。ユニット本体５６の上下面には、第３レンズ群５１と、後述する第４レンズ群６３とに対面する位置に開口５６ａ，５６ｂが形成されている。シャッタ羽根は、図示せぬモータによって駆動され、開口５６ａ，５６ｂに入射する被写体光の光量、すなわち、後述する第４レンズ群６３に入射する被写体光束の光量を調節する。なお、このモータとしては、ステッピングモータやＤＣモータを用いる。
【００３２】
また、このユニット本体５６の下面には、２つのボス５８ａ，５８ｂが一体に形成されており、これらのボス５８ａ，５８ｂによって、後述する第４レンズ群６３の移動をガイドする２本のガイド軸（第２ガイド軸）６０，６１の一端が軸受けされる。
【００３３】
下部鏡筒３２には、第４レンズ群６３が収納されている。この第４群レンズ６３は、レンズ６３ａ，６３ｂ，６３ｃの３枚のレンズで構成され、レンズ枠６４によって保持されている。この第４レンズ群６３はフォーカスレンズ群であり、下部鏡筒３２内には、前述のガイド軸６０，６１が光軸Ｌ２と平行に配置されている。レンズ枠６４は、これらのガイド軸６０，６１によって光軸Ｌ２に沿って移動自在に保持されている。
【００３４】
また、下部鏡筒３２の外壁には、モータ６６が設けられており、回転軸６６ａが光軸Ｌ２と平行となるように配置されている。さらに、回転軸６６ａには、回転止めされたネジ部材６７が螺合されている。モータ６６によって回転軸６６ａが回転されると、ネジ部材６７が光軸Ｌ２と平行な方向に進退移動する。このネジ部材６７は、レンズ枠６４と係合しており、レンズ枠６４が、ネジ部材６７によって押圧されて光軸Ｌ２に沿って移動する。
【００３５】
モータ６６は、モータ５４と同様にステッピングモータであり、レンズ枠６４の原点位置は、光学的位置検出手段であるフォトインタラプタ６８によって検出され、この検出信号に基づいて第４レンズ群６３の位置が制御される。ズーミングが行われた後、第４レンズ群６３が光軸Ｌ２に沿って進退移動し、被写体像のピントが調節される。なお、このモータ６６は、ＤＣモータでも良い。この場合、第４群レンズ６３の位置を制御するためにエンコーダを設ければ良い。
【００３６】
第４レンズ群６３の下方、すなわち下部鏡筒３２の下端部には、凹部である収納部７０が形成されている。この収納部７０には、前述の第１〜４レンズ群４３，４４，５１，６３によって結像された被写体像を撮像する撮像素子であるＣＣＤイメージセンサ（以下、単にＣＣＤと称する）７１が収納される。なお、本実施形態において、撮像素子としてＣＣＤ７１を用いる場合を例に説明するが、これに限るものではなく、例えばＣＭＯＳイメージセンサを用いても良い。
【００３７】
次に、レンズ保持板３３及びシャッタユニット３４の構成を説明する。図５〜図７に示すように、レンズ保持枠３３及びシャッタユニット３４は、上部鏡筒３１と下部鏡筒３２とによって上下で挟み込まれるように配置されており、光軸Ｌ２に対して略垂直に保持されている。また、上部鏡筒３１には、ネジ７２を挿通させる挿通穴３１ａ，３１ｂが形成されており、下部鏡筒３２には、ネジ７２と螺合するネジ穴３２ａ，３２ｂが形成されている。
【００３８】
レンズ保持枠３３の右端部は、上部及び下部鏡筒３１，３２よりも外側に突出され、左端部は、下部鏡筒３２の内壁面との間に隙間ｄ１が形成されるように配置される。さらに、レンズ保持板３３には、２つの貫通穴７３ａ，７３ｂが左右の両端部に形成されている。これらの貫通穴７３ａ，７３ｂの内径は、前述の挿通穴３１ａ，３１ｂ及びネジ穴３２ａ，３２ｂよりも大きくされている。
【００３９】
また、シャッタユニット３４の左側端部は、上部及び下部鏡筒３１，３２よりも外側に突出され、右側端部は、下部鏡筒３２の内壁面との間に隙間ｄ２が形成されるように配置される。この隙間ｄ２は、前述の隙間ｄ１と略同じ大きさにされている。さらに、シャッタユニット３４には、２つの貫通穴７４ａ，７４ｂが左右の両端部に形成されている。これらの貫通穴７４ａ，７４ｂの内径は、前述の挿通穴３１ａ，３１ｂ及びネジ穴３２ａ，３２ｂよりも大きくされている。
【００４０】
レンズ保持板３３及びシャッタユニット３４を上部及び下部鏡筒３１，３２に固定する際に、ネジ７２を挿通穴３１ａ及び貫通穴７３ａ，７４ａに挿通させ、ネジ穴３２ａに螺合させる。同様に、ネジ７２を挿通穴３１ｂ及び貫通穴７３ｂ，７４ｂに挿通させ、ネジ穴３２ｂに螺合させる。これにより、上部及び下部鏡筒３１，３２によってレンズ保持板３３及びシャッタユニット３４が挟持されて固定される。
【００４１】
次に、デジタルカメラ１０の電気的構成について説明する。図８に示すように、デジタルカメラ１０には、カメラ全体を制御するシステムコントローラ１００が設けられている。システムコントローラ１００は、各部を制御する制御プログラムが記憶されたＲＯＭ１００ａと、作業用データを一時的に記憶するＲＡＭ１００ｂとを備えている。システムコントローラ１００は、この制御プログラムに基づいて各部を制御する。
【００４２】
システムコントローラ１００は、モータドライバ１０１を介してモータ５４，６６，８０に接続されており、システムコントローラ１００がモータドライバ１０１を制御して、モータ５４，６６，８０を駆動する。前述したように、モータ５４は、前述の第２レンズ群４４を光軸Ｌ２に沿って進退移動させる。また、モータ８０はシャッタ装置５６を駆動する。さらに、モータ６６は、第４レンズ群６３を光軸Ｌ２に沿って移動させる。
【００４３】
また、システムコントローラ１００には、ＣＣＤドライバ１０３を介してＣＣＤ７１が接続されている。システムコントローラ１００は、ＣＣＤドライバ１０３を制御することによりＣＣＤ７１を駆動する。ＣＣＤ７１は、光電変換により被写体像を電気信号に変換して、アナログ信号である画像データを取得する。さらに、このＣＣＤ７１は、画像信号処理部１０４と接続されており、ＣＣＤ７１によって撮像された画像データが画像信号処理部１０４に出力される。この画像信号処理部１０４は、データバス１０５を介してシステムコントローラ１００に接続されており、システムコントローラ１００によって制御される。
【００４４】
画像信号処理部１０４は、相関二重サンプリング回路（ＣＤＳ）、増幅器（ＡＭＰ）、Ａ／Ｄ変換器、信号処理回路、メモリ、圧縮伸張処理回路等を備えて構成されている。ＣＤＳは、ＣＣＤ７１によって取得された画像データのノイズを除去する。ＡＭＰは、ノイズが除去された画像データを増幅してＡ／Ｄ変換器に出力する。Ａ／Ｄ変換器は、増幅された画像データをアナログ信号からデジタル信号の画像データに変換して信号処理回路に出力する。
【００４５】
信号処理回路は、デジタル信号の画像データに対して、階調変換、ホワイトバランス補正、γ補正等の各種画像処理と、ＹＣ変換処理とを施す。撮影モード時において、撮影処理が実行される前に画像信号処理部１０４に入力された画像データは、簡易な画像処理と簡易なＹＣ処理とが施されてＬＣＤドライバ１０６に出力される。システムコントローラ１００は、ＬＣＤドライバ１０６を制御して画像データをＬＣＤ１６にスルー画として表示させる。
【００４６】
また、撮影処理が実行された時に、画像信号処理部１０４に入力された画像データは、画像処理、ＹＣ変換処理、及び圧縮処理（例えばＪＰＥＧ方式）等が施される。システムコントローラ１００は、メディアコントローラ１０７を制御して圧縮された画像データをメモリカード１０８に記憶させる。また、再生モードでは、メモリカード１０８に記憶された画像データに対して伸張処理が施されて、ＬＣＤ１６に再生画像として表示させる。
【００４７】
また、システムコントローラ１００には、電源ボタン１４、シャッタボタン１５、ズーム操作ボタン１７、カーソルボタン１８、モード切替ボタン１９が接続されている。システムコントローラ１００は、各ボタンから操作信号を取得して、各操作信号に対応する処理を実行する。
【００４８】
次に、上記構成のレンズ鏡筒２０の作用について説明する。レンズ保持板３３及びシャッタユニット３４を上部及び下部鏡筒３１，３２に固定する場合、上部鏡筒３１側からネジ７２を挿通穴３１ａ及び貫通穴７３ａ，７４ａに挿通させ、ネジ穴３２ａに螺合させて仮止めを行う。同様にネジ７２を挿通穴３１ｂ及び貫通穴７３ｂ，７４ｂに挿通させ、ネジ穴３２ｂに螺合させて仮止めを行う。これにより、レンズ保持板３３及びシャッタユニット３４が、上部及び下部鏡筒３１，３２によって光軸Ｌ２に対して垂直に保持される。
【００４９】
また、前述したように貫通穴７３ａ，７３ｂ，７４ａ，７４ｂの内径は、挿通穴３１ａ，３１ｂ及びネジ穴３２ａ，３２ｂの内径よりも大きくされており、さらに、レンズ保持枠３３の左側端部と下部鏡筒３２の内壁面との間に隙間ｄ１が形成され、シャッタユニット３４の右側端部と下部鏡筒３２の内壁面との間に隙間ｄ２が形成されている。このため、レンズ保持板３３及びシャッタユニット３４は、光軸Ｌ２と垂直な平面内で移動自在にされている。
【００５０】
その後、レンズ保持板３３の右側端部を把持して図中矢印で示す方向に力を加えると、光軸Ｌ２と垂直な平面内で移動するので、第２レンズ群４４の光軸の位置調整を行うことができる。この時、２本のガイド軸５２，５３がレンズ保持板３３と一体に移動するので、第２レンズ群４４が傾くことはない。また、レンズ保持枠３３の移動により第３レンズ群５１も一体に移動するため、第３レンズ群５１の光軸の調整を独立させて行う場合よりも、調整作業が簡略化される。
【００５１】
同様に、シャッタユニット３４の左側端部を把持して図中矢印で示す方向に力を加えると、光軸Ｌ２と垂直な平面内で移動するので、第４レンズ群６３の光軸の位置調整を行うことができる。この時も同様に、２本のガイド軸６０，６１がシャッタユニット３４と一体に移動するので、第４レンズ群６３が傾くことはない。また、シャッタユニット３４の移動により、シャッタ装置５７も一体に移動するため、シャッタ装置５７の位置調整を独立させて行う場合よりも、調整作業が簡略化される。
【００５２】
第２及び第４レンズ群の光軸の調整が終了すると、ネジ７２をネジ穴３２ａ，３２ｂにさらに螺合させて、上部及び下部鏡筒３１，３２の間でレンズ保持板３３及びシャッタユニット３４が挟持されて固定される。
【００５３】
なお、上記実施形態の説明では、レンズ保持板３３及びシャッタユニット３４を左右方向に移動させて、第２及び第４レンズ群４４，６３の光軸の位置調整を行う場合について説明したが、レンズ保持板３３及びシャッタユニット３４を前後方向にも移動可能にされている。つまり、レンズ保持板３３及びシャッタユニット３４の前面側及び背面側が、上部及び下部鏡筒３１，３２よりも外側に突出されている。このため、第２及び第４レンズ群４４，６３の光軸を前後方向に移動させて位置調整を行うことができる。
【００５４】
また、上記実施形態において、レンズ保持枠３３及びレンズユニット３４の一部を上部及び下部鏡筒３１，３２よりも外側に突出させるように説明したが、上部及び下部鏡筒３１，３２から側面の一部を露呈させるだけでも良い。この場合、対面する側面の一部を上部及び下部鏡筒３１，３２から露呈させ、露呈された両側面から押圧することによって第２及び第４レンズ群４４，６３の光軸の位置調整を行う。
【００５５】
さらに、上記実施形態において、レンズ保持板３３及びシャッタユニット３４に貫通穴７３ａ，７３ｂ，７４ａ，７４ｂを形成するように説明したが、挿通穴３１ａ，３１ｂ及びネジ穴３２ａ，３２ｂをレンズ保持板３３及びシャッタユニット３４よりも外側に形成されている場合には、貫通穴７３ａ，７３ｂ，７４ａ，７４ｂを形成しなくても良い。
【００５６】
また、上記実施形態において、シャッタ装置５７を駆動するモータを図示せずに説明したが、このモータがユニット本体５６の下面から突出するように設けられている場合、下部鏡筒３２にモータを挿通させる挿通穴を形成し、この挿通穴をモータの内径よりも大きくして、シャッタユニット３４を光軸Ｌ２と垂直な平面内で移動できるようにすれば良い。
【００５７】
さらに、上記実施形態において、第１軸受部材に第３レンズ群を設ける場合を例に説明したが、これに限るものではなく、第１軸軸受部材と第３レンズ群を別体にしても良い。また、第２軸受部材をシャッタユニットと一体に設ける場合を例に説明したが、第２軸受部材とシャッタユニットとを別体にしても良い。
【００５８】
さらに、上記実施形態では、屈曲光学系のレンズ鏡筒を用いる場合を例に説明したが、これに限るものではなく、被写体光束を屈曲させずに結像させる通常のレンズ鏡筒でも良い。また、レンズ鏡筒の外形も上記実施形態に限定されるものではなく、円筒形状のレンズ鏡筒でも良い。
【００５９】
さらに、上記実施形態において、撮像装置としてデジタルカメラを例に説明したが、これに限るものではなく、デジタルビデオカメラに本発明を適用しても良い。また、本発明のレンズ鏡筒を撮像装置に適用した場合を例に説明したが、これに限るものではなく、銀塩カメラ、プロジェクタ等の光学装置に本発明を適用しても良い。
【図面の簡単な説明】
【００６０】
【図１】デジタルカメラの前面側の構成を示す斜視図である。
【図２】デジタルカメラの背面側の構成を示す斜視図である。
【図３】レンズ鏡筒の構成を示す断面図である。
【図４】レンズ鏡筒の構成を示す断面図である。
【図５】レンズ保持板及びシャッタユニットの構成を示す断面図である。
【図６】レンズ保持板及びシャッタユニットの左端部の構成を示す断面図である。
【図７】レンズ保持板及びシャッタユニットの右端部の構成を示す断面図である。
【図８】デジタルカメラの電気的構成を示すブロック図である。
【符号の説明】
【００６１】
１０  デジタルカメラ
２０  レンズ鏡筒
２１  鏡筒本体
３１  上部鏡筒
３１ａ，３１ｂ  挿通穴
３２  下部鏡筒
３２ａ，３２ｂ  ネジ穴
３３  レンズ保持板
３４  シャッタユニット
４４  第２レンズ群
６３  第４レンズ群
５２，５３，６０，６１  ガイド軸
７２  ネジ
７３ａ，７３ｂ，７４ａ，７４ｂ  貫通穴
【図１】
2006201612.tif 000003
【図２】
2006201612.tif 000004
【図３】
2006201612.tif 000005
【図４】
2006201612.tif 000006
【図５】
2006201612.tif 000007
【図６】
2006201612.tif 000008
【図７】
2006201612.tif 000009
【図８】
2006201612.tif 000010